(57)【特許請求の範囲】
【請求項１】
本体ケースに蓋体ケースが開閉可能に連結され、本体ケース及び／又は蓋体ケースの内面に表示部及び操作部を配備した折り畳み式通信端末機において、表示部及び／又は操作部を照明するための照明手段と、本体ケースに対する蓋体ケースの開閉を検出する開閉検出手段と、表示部又は操作部の周辺の明るさを検出するための光検出手段と、開閉検出手段及び光検出手段の出力信号に基づいて、照明手段の点灯及び消灯を制御する制御手段とを具えており、該制御手段は、開閉検出手段の出力信号に基づき蓋体ケースが開かれていると判断した後に初めて、光検出手段の出力信号に基づき表示部又は操作部の周辺の明るさが基準値よりも低いと判断したときに限り、常に照明手段を点灯させることを特徴とする折り畳み式通信端末機。
【請求項２】
制御手段は、第２回目以降に表示部又は操作部の周辺の明るさが基準値よりも低いと判断したときには、着信があり若しくは操作部に対する操作が行なわれたときに限り、照明手段を点灯させる請求項１に記載の折り畳み式通信端末機。
【請求項３】
制御手段は、照明手段を点灯させた状態で、光検出手段の出力信号に基づいて、表示部又は操作部の周辺の明るさが基準値よりも高い状態に変化したことを検知した場合、照明手段の点灯時間が所定時間を越えており、若しくは着信が終了しているとき、照明手段を消灯させる請求項１又は請求項２に記載の折り畳み式通信端末機。
【請求項４】
光検出手段は、本体ケース又は蓋体ケースの内面に配備されている請求項１乃至請求項３の何れかに記載の折り畳み式通信端末機。
【請求項５】
制御手段は、照明手段を点灯させた状態で、開閉検出手段の出力信号に基づいて蓋体ケースが閉じられたことを検知したとき、照明手段を消灯させる請求項１乃至請求項４の何れかに記載の折り畳み式通信端末機。
【発明の詳細な説明】
【０００１】
【発明の属する技術分野】
本発明は、本体ケースに蓋体ケースが開閉可能に連結された折り畳み式携帯電話機の如く、折り畳んで携帯することが可能な折り畳み式通信端末機に関するものである。
【０００２】
【従来の技術】
折り畳み式携帯電話機は、図１に示す如く、キー入力装置（１２）を具えた本体ケース（１）に、ディスプレイ（２１）を具えた蓋体ケース（２）を開閉可能に連結して構成されており、蓋体ケース（２）を開いた状態でキー入力装置（１２）及びディスプレイ（２１）が露出して、電話をかけるための操作や各種情報の表示が可能となる。又、図２の如く本体ケース（１）に対して蓋体ケース（２）を折り畳むことによってコンパクト化され、携帯に便利となる。
【０００３】
尚、キー入力装置（１２）には、キー照明装置（図示省略）が装備されて、暗い場所でのキー操作を容易なものとしている。又、ディスプレイ（２１）にはバックライト（図示省略）が装備されて、暗い場所での表示を見易いものとしている。
【０００４】
近年、この様な折り畳み式携帯電話機においても、更なる小型化、軽量化が進められており、これに伴って、電源となる電池の容量に対する制約が厳しいものとなっている。一方、携帯電話機の機能の多様化に伴って、ディスプレイのカラー化が進められており、ＴＦＴタイプの液晶表示器の採用が検討されている。
【０００５】
【発明が解決しようとする課題】
しかしながら、ＴＦＴタイプの液晶表示器は消費電力が大きいため、限られた電池容量の制約下で、その採用は困難であった。
そこで本発明は、折り畳み式通信端末機において、従来よりも消費電力を節減することを目的とする。
【０００６】
【課題を解決する為の手段】
本発明に係る折り畳み式通信端末機は、本体ケースに蓋体ケースが開閉可能に連結され、本体ケース及び／又は蓋体ケースの内面に表示部及び操作部を配備した折り畳み式通信端末機において、表示部及び／又は操作部を照明するための照明手段と、本体ケースに対する蓋体ケースの開閉を検出する開閉検出手段と、表示部又は操作部の周辺の明るさを検出するための光検出手段と、開閉検出手段及び光検出手段の出力信号に基づいて、照明手段の点灯及び消灯を制御する制御手段とを具えている。そして、該制御手段は、開閉検出手段の出力信号に基づき蓋体ケースが開かれていると判断した後に初めて、光検出手段の出力信号に基づき表示部又は操作部の周辺の明るさが基準値よりも低いと判断したときに限り、常に照明手段を点灯させる。
【０００７】
又、制御手段は、第２回目以降に表示部又は操作部の周辺の明るさが基準値よりも低いと判断したときには、着信があり若しくは操作部に対する操作が行なわれたときに限り、照明手段を点灯させる。
【０００８】
又、制御手段は、照明手段を点灯させた状態で、光検出手段の出力信号に基づいて、表示部又は操作部の周辺の明るさが基準値よりも高い状態に変化したことを検知した場合、照明手段の点灯時間が所定時間を越えており、若しくは着信が終了しているとき、照明手段を消灯させる。
従って、暗い場所から明るい場所に移動した場合において、照明手段の点灯時間が所定時間を超えているとき、若しくは着信が終了しているときは、照明手段が消灯されるので、照明手段が点灯の直後に消灯したり、着信の途中に消灯することはない。これによって、支障のない範囲で、無駄な電力の消費が抑制される。
【０００９】
又、制御手段は、照明手段を点灯させた状態で、開閉検出手段の出力信号に基づいて蓋体ケースが閉じられたことを検知したとき、照明手段を消灯させる。
従って、本体ケースに対して蓋体ケースが閉じられると同時に、照明手段が消灯されるので、蓋体ケースが閉じた状態で照明手段が無駄に点灯する事態が回避される。
【００１２】
【発明の効果】
本発明に係る折り畳み式通信端末機によれば、必要な場合に限って表示部及び／又は操作部が照明されるので、無駄な電力の消費が抑制されて、少ない電源容量の制約下でも、表示部にカラーディスプレイを採用する等、機能の充実を図ることが出来る。
【００１３】
【発明の実施の形態】
以下、本発明を折り畳み式携帯電話機に実施した形態につき、図面に沿って具体的に説明する。
本発明に係る折り畳み式携帯電話機は、図１及び図２に示す如く、本体ケース（１）の上端部に、ヒンジ機構（３）（３）を介して、蓋体ケース（２）の基端部が連結されて、本体ケース（１）に対して蓋体ケース（２）が開閉可能となっている。
本体ケース（１）の内面には、複数の操作キーからなるキー入力装置（１２）が配備される一方、蓋体ケース（２）の内面にはディスプレイ（２１）が配備され、蓋体ケース（２）を開くことによって、キー入力装置（１２）及びディスプレイ（２１）が露出することになる。又、本体ケース（１）にはアンテナ（１１）が突設されている。
【００１４】
図３は、上記折り畳み式携帯電話機の電気的な構成を表わしており、アンテナ（１１）には電話回路（６）が接続されており、該電話回路（６）によって、他の携帯電話機との間や加入者電話回線に接続された一般電話機との間の通話やデータ通信のための信号処理が行なわれる。電話回路（６）には、スピーカ（２２）及びマイクロホン（１３）が接続され、受話音の出力及び送話音の入力が可能となっている。
【００１５】
電話回路（６）の動作は、マイクロコンピュータからなる制御回路（７）によって制御されており、該制御回路（７）に、前記のディスプレイ（２１）及びキー入力装置（１２）が接続されている。又、制御回路（７）には、ディスプレイ（２１）の表示面を照明するためのバックライト（２３）と、キー入力装置（１２）の各操作キーを照明するためのキー照明装置（１４）が接続されている。
【００１６】
更に制御回路（７）には、蓋体ケース（２）の開閉状態を検知するための開閉検出スイッチ（４）と、ディスプレイ周辺の明るさを検知するための光センサー（５）が接続されている。
尚、図１に示す様に、開閉検出スイッチ（４）は本体ケース（１）と蓋体ケース（２）の連結部に配置されており、蓋体ケース（２）を閉じることによってオンとなり、蓋体ケース（２）を開くことによってオフとなる。
又、光センサー（５）は蓋体ケース（２）の内面に配置されており、蓋体ケース（２）を開くことにより、周囲の光が入射してオンとなり、蓋体ケース（２）を閉じることにより、光が遮蔽されてオフとなる。
【００１７】
図４及び図５は、制御回路（７）が実行するバックライト（２３）及びキー照明装置（１４）の点灯／消灯制御の手続きを表わしている。
先ずステップＳ１にて、電源がオンとなったか否かを判断し、イエスと判断されたとき、ステップＳ２に移行して、各ポートの設定等、必要な初期設定を行なうと共に、後述のダークフラグＤＦを０に設定する。
【００１８】
次に、ステップＳ３では、開閉検出スイッチがオンとなったか否かを判断し、ここでノーと判断されたときは、ステップＳ４に移行して、更に光センサーがオンとなったか否かを判断する。明るい場所で蓋体ケースが開かれた場合、ステップＳ４ではイエスと判断され、ステップＳ５にて着信があったか否かが判断される。着信がない場合はノーと判断されてステップＳ７に移行し、ダークフラグＤＦが１であるか否かが判断される。第１回目はノーと判断されて、ステップＳ８に移行し、バックライト及びキー照明装置は消灯状態が維持される。そして、ステップＳ９ではダークフラグＤＦが０に設定された後、ステップＳ３に戻って開閉検出スイッチのオン／オフが判断される。
着信があって、ステップＳ５にてイエスと判断されたときは、ステップＳ６に移行して、着信を報知するためのリンガー（スピーカ（２２））を鳴動させた後、ステップＳ７へ移行する。
従って、明るい場所では、蓋体ケースを開いたとしても、バックライト及びキー照明装置が点灯することはない。
【００１９】
これに対し、暗い場所で蓋体ケースが開かれた場合は、ステップＳ４にてノーと判断され、図５のステップＳ１３に移行し、後述するタイマーの動作が第１回目であるか否かを判断する。蓋体ケースを開いた直後には、ここでイエスと判断されて、ステップＳ１４にて、バックライト及びキー照明装置を点灯させると共に、これらの点灯を終了させるための１０秒間のタイマーをセットする。
その後、ステップＳ２０に移行して、ダークフラグＤＦを１に設定し、ステップＳ２１にて、前記タイマーがタイムアウトしたか否か、或いは着信モードが終了したか否かを判断する。ここでノーと判断されたときは、図４のステップＳ３に戻って、開閉検出スイッチのオン／オフが判断される。
又、前記タイマーがタイムアウトして、ステップＳ２１にてイエスと判断されたときは、ステップＳ２２に移行して、ダークフラグＤＦを０に設定した後、図４のステップＳ３に戻って、開閉検出スイッチのオン／オフが判断される。
【００２０】
その後、蓋体ケースを閉じると、図４のステップＳ３にてイエスと判断されて、図５のステップＳ１０に移行し、バックライト及びキー照明装置が消灯される。続いて、ステップＳ１１にて着信があったか否かが判断され、ノーと判断されたときは、図４のステップＳ３に戻って、開閉検出スイッチのオン／オフが判断される。又、図５のステップＳ１１にてイエスと判断されたときは、ステップＳ１２に移行して、リンガーを鳴動させた後、図４のステップＳ３に戻って、開閉検出スイッチのオン／オフが判断される。
【００２１】
従って、暗い場所で蓋体ケースを開いた場合、最初の１０秒間はバックライト及びキー照明装置が点灯するが、この１０秒間が経過する以前に蓋体ケースを閉じれば、その時点でバックライト及びキー照明装置が消灯される。
蓋体ケースを閉じることなく、１０秒間が経過したときは、図５のステップＳ２１にてイエスと判断されて、ダークフラグＤＦが０に設定され、更に図４のステップＳ４にてノーと判断された後、図５のステップＳ１３では、１回目のタイマー動作が終了しているので、ノーと判断され、ステップＳ１５に移行する。
【００２２】
着信がなく、ステップＳ１５にてノーと判断されたときは、ステップＳ１８にてキー入力操作があったか否かが判断され、ここでノーと判断されたときは、図４のステップＳ３に戻って、開閉検出スイッチのオン／オフが判断される。
キー入力操作があって、ステップＳ１８にてイエスと判断されたときは、ステップＳ１９に移行して、バックライト及びキー照明装置を点灯させると共に、これらの点灯を終了させるための１０秒間のタイマーをセットする。その後、ステップＳ２０に移行して、ダークフラグＤＦを１に設定する。
【００２３】
蓋体ケースを開いた状態で着信があり、ステップＳ１５にてイエスと判断されたときは、ステップＳ１６に移行して、バックライト及びキー照明装置を着信モード中に点灯させる設定を行ない、更にステップＳ１７にて、リンガーを鳴動させた後、ステップＳ２０に移行して、ダークフラグＤＦを１に設定する。
【００２４】
従って、暗い場所で蓋体ケースを開き、この状態で着信があったとき、着信モード中はバックライト及びキー照明装置が点灯し、その後、着信モードの終了時点で、バックライト及びキー照明装置が消灯されることになる。
又、暗い場所で蓋体ケースを開くことによって、図５のステップＳ１９又はステップＳ１６にてバックライト及びキー照明装置が点灯した状態で、明るい場所へ移動した場合において、バックライト及びキー照明装置の点灯から１０秒間が経過してタイマーがタイムアウトしており、或いは着信モードが終了しているときは、ステップＳ２２にてダークフラグＤＦが０に設定された後、図４のステップＳ４にてイエスと判断され、更にステップＳ７にてノーと判断される。この結果、ステップＳ８にてバックライト及びキー照明装置が消灯されることになる。その後、着信やキー入力操作があっても、バックライト及びキー照明装置は消灯したままとなる。
尚、上述の如く暗い場所から明るい場所へ移動した後、再び暗い場所へ戻ったとしても、図５のステップＳ１３にてノーと判断されるため、着信やキー入力操作がない限り、バックライト及びキー照明装置は点灯しない。
【００２５】
逆に、明るい場所で蓋体ケースを開いた後、暗い場所へ移動した場合、先ず図４のステップＳ７ではノーと判断されて、バックライト及びキー照明装置の消灯状態が維持されるが、場所の移動に伴って、ステップＳ４でノーと判断され、更に図５のステップＳ１３にてイエスと判断され、バックライト及びキー照明装置が点灯される。その後、蓋体ケースを閉じると、図４のステップＳ３にてイエスと判断されて、バックライト及びキー照明装置が消灯される。これに対し、その後に着信或いはキー入力操作があった場合は、バックライト及びキー照明装置を点灯させる。
尚、上述の如く明るい場所から暗い場所へ移動して、バックライト及びキー照明装置が一旦点灯した後は、再び明るい場所から暗い場所への移動があったとしても、図５のステップＳ１３にてノーと判断されるため、着信やキー入力操作がない限り、バックライト及びキー照明装置は点灯しない。
【００２６】
上述の如く、本発明の折り畳み式携帯電話機においては、暗い場所で蓋体ケース（２）を開いた状態で、バックライト（２３）及びキー照明装置（１４）が点灯され、蓋体ケース（２）を閉じた状態では、場所の明暗に拘わらずバックライト（２３）及びキー照明装置（１４）が消灯されるので、無駄な電力の消費が抑制される。
【００２８】
又、暗い場所から明るい場所へ移動した後、再び暗い場所へ戻った場合や、明るい場所から暗い場所に移動した後、再び明るい場所から暗い場所へ移動した場合において、着信が無く、キー入力装置(12)に対する操作もないのに、バックライト(23)及びキー照明装置(14)が点灯することはなく、これによって無駄な電力の消費が抑制される。
【００２９】
逆に、暗い場所から明るい場所に移動した場合においては、バックライト（２３）及びキー照明装置（１４）の点灯時間が１０秒間を越えたとき、若しくは着信が終了したときに、バックライト（２３）及びキー照明装置（１４）が消灯されるので、バックライト（２３）及びキー照明装置（１４）が点灯の直後に消灯したり、着信中に消灯することはない。これによって、支障のない範囲で、無駄な電力の消費が抑制される。
【００３０】
この様に、本発明に係る折り畳み式携帯電話機によれば、必要な場合に限ってバックライト（２３）及びキー照明装置（１４）が点灯されるので、無駄な電力の消費が抑制されて、少ない電池容量の制約下でも、ディスプレイ（２１）としてＴＦＴタイプのカラー液晶表示装置を採用するが出来る。
【００３１】
尚、本発明の各部構成は上記実施の形態に限らず、特許請求の範囲に記載の技術的範囲内で種々の変形が可能である。例えば、光センサー（５）の出力信号に基づく明暗の判断において、その判断基準となる明るさ（参照値）をユーザがマニュアル設定出来る構成とすることも可能である。
【図面の簡単な説明】
【図１】本発明に係る折り畳み式携帯電話機の開いた状態を示す斜視図である。
【図２】該折り畳み式携帯電話機の閉じた状態を示す斜視図である。
【図３】該折り畳み式携帯電話機の電気的な構成を表わすブロック図である。
【図４】該折り畳み式携帯電話機における制御動作の一部を表わすフローチャートである。
【図５】同上制御動作の残部を表わすフローチャートである。
【符号の説明】
（１）  本体ケース
（１２）  キー入力装置
（１３）  マイクロホン
（１４）  キー照明装置
（２）  蓋体ケース
（２１）  ディスプレイ
（２２）  スピーカ
（２３）  バックライト
（４）  開閉検出スイッチ
（５）  光センサー
（７）  制御回路
【図１】
0003609698.tif 000002
【図２】
0003609698.tif 000003
【図３】
0003609698.tif 000004
【図４】
0003609698.tif 000005
【図５】
0003609698.tif 000006